(57)【特許請求の範囲】
【請求項１】
貯蔵室と、前記貯蔵室と隣り合う冷却器室と、を有する貯蔵庫本体と、
前記冷却器室に設けられた冷却器と、
前記冷却器室に設けられ、前記冷却器に対して前記貯蔵室側に配される冷却ファンと、
前記貯蔵室と前記冷却器室とを連通する吹出口を有し、前記貯蔵室と前記冷却器室とを仕切ると共に前記冷却ファンを前記貯蔵室側から覆う吹出ダクトと、
前記貯蔵室と前記冷却器室とを連通する吸込口を有し、前記吹出ダクトの下方に配されて前記貯蔵室と前記冷却器室とを仕切る吸込ダクトと、を備え、
前記吹出ダクトは、
前記吹出口が形成された吹出ダクト本体部と、
前記吹出ダクト本体部の下端から前記冷却器まで延びるように前記吹出ダクト本体部に一体的に設けられ、延設端が前記冷却器に当接する吹出側延設部と、
前記吹出側延設部に設けられ、前記吸込ダクトが係止される被係止部と、を備え、
前記吸込ダクトは、
前記吸込口が形成された吸込ダクト本体部と、
前記吸込ダクト本体部の上端に設けられ、前記上端から下方に折り返された形状をなす折り返し部と、を備え、
前記折り返し部は、前記冷却器側の面において前記吹出側延設部に対して前記貯蔵室側から当接すると共に、前記被係止部に対して前記冷却器側から係止し、
前記折り返し部は、前記吹出側延設部における前記貯蔵室側の面に対して当接する構成である冷却貯蔵庫。
【請求項２】
前記吹出側延設部は、
前記吹出ダクト本体部の下端から下方に延びる第１延設部と、
前記第１延設部の下端から延び、下方に向かうにつれて前記冷却器に向かう形で傾斜する第２延設部と、を備え、
前記折り返し部は、前記上端に沿って延在する長手状をなし、前記第１延設部における前記貯蔵室側の面に対して当接するものとされ、
前記被係止部は、前記第１延設部が延在する上下方向と交わる方向における両端部に設けられると共に、
前記各被係止部は上方に開口された凹部を有しており、
前記長手状をなす前記折り返し部の下端部は、前記各凹部に上方から嵌合している請求項１に記載の冷却貯蔵庫。
【発明の詳細な説明】
【技術分野】
【０００１】
本発明は、冷却貯蔵庫に関する。
【背景技術】
【０００２】
従来、冷却貯蔵庫としては、貯蔵室と冷却器室を有し、冷却器室に冷却器と冷却ファンがそれぞれ設けられている構成のものが知られている（下記特許文献１）。特許文献１の冷却貯蔵庫では、冷却器室を覆う形でダクトが設けられ、そのダクトに吸込口及び吹出口が形成されている。そして、上下方向において吸込口と吹出口の間に冷却器を配するとともにダクトの一部を冷却器に当接させる構成となっている。これにより、冷却ファンの駆動に伴い、貯蔵室内の空気が吸込口から冷却器室内に吸い込まれて冷却器を通過する間に冷気が生成され、その冷気が吹出口から貯蔵室に吹き出されることによって、貯蔵室内が冷却されるようになっている。
【先行技術文献】
【特許文献】
【０００３】
【特許文献１】特開２００５−２９１５２２号公報
【発明の概要】
【発明が解決しようとする課題】
【０００４】
上記構成では、ダクトと冷却器の間に隙間が生じると、吸込口から冷却器室内に吸い込まれた空気が、その隙間を通って吹出口に向かう可能性がある。これにより、吸込口から冷却器室内に吸い込まれた空気が冷却器を経由せずに貯蔵室に向かうことで、冷却効率が低下する事態が懸念される。
【０００５】
本発明は上記のような事情に基づいて完成されたものであって、吸込口から冷却器室内に吸い込まれた空気が冷却器を経由せずに貯蔵室に向かう事態を抑制することを目的とする。
【課題を解決するための手段】
【０００６】
上記課題を解決するために、本発明の冷却貯蔵庫は、貯蔵室と、前記貯蔵室と隣り合う冷却器室と、を有する貯蔵庫本体と、前記冷却器室に設けられた冷却器と、前記冷却器室に設けられ、前記冷却器に対して前記貯蔵室側に配される冷却ファンと、前記貯蔵室と前記冷却器室とを連通する吹出口を有し、前記貯蔵室と前記冷却器室とを仕切ると共に前記冷却ファンを前記貯蔵室側から覆う吹出ダクトと、前記貯蔵室と前記冷却器室とを連通する吸込口を有し、前記貯蔵室と前記冷却器室とを仕切る吸込ダクトと、を備え、前記吹出ダクトは、前記吹出口が形成された吹出ダクト本体部と、前記吹出ダクト本体部の周端から前記冷却器に向かって延びると共に延設端において前記冷却器に当接する吹出側延設部と、を備え、前記吸込ダクトは、前記吸込口が形成された吸込ダクト本体部と、前記吸込ダクト本体部の周端に設けられ、前記吸込ダクト本体部に対して前記冷却器側に折り返された形状をなす折り返し部と、を備え、前記折り返し部は、前記冷却器側の面において前記吹出側延設部に対して前記貯蔵室側から当接すると共に、前記吹出側延設部に設けられた被係止部に対して前記冷却器側から係止する構成であることに特徴を有する。
【０００７】
上記構成によれば、冷却ファンの駆動に伴って、貯蔵室内の空気が吸込口から冷却器室内に吸い込まれ、冷却器を通過する過程で冷却された後、吹出口から貯蔵室内に吹き出される。ここで、吹出ダクトの吹出側延設部は冷却器に当接し、吹出側延設部に対しては吸込ダクトの折り返し部が当接する構成となっている。これにより、吹出側延設部が貯蔵室側に変位する事態を抑制することができ、冷却器と吹出側延設部の間に隙間が生じる事態を抑制できる。このため、吸込口から冷却器室内に吸い込まれた空気が当該隙間を通じて冷却器を経由せずに吹出口に向かう事態を抑制できる。さらに、折り返し部は、吹出側延設部に設けられた被係止部に対して冷却器側から係止する構成であるから、貯蔵室側への変位が規制されている。これにより、折り返し部と吹出側延設部との間に隙間が生じる事態を抑制することができる。このため、吸込口から冷却器室内に吸い込まれた空気が当該隙間を通じて冷却器を経由せずに貯蔵室に向かう事態を抑制できる。
【０００８】
また、前記吸込ダクトは前記吹出ダクトの下方に配されており、前記吹出側延設部は、前記吹出ダクト本体部の下端から下方に延びる第１延設部と、前記第１延設部の下端から延び、下方に向かうにつれて前記冷却器に向かう形で傾斜する第２延設部と、を備え、前記折り返し部は、前記第１延設部における前記貯蔵室側の面に対して当接するものとされ、前記被係止部は、前記第１延設部に設けられると共に、前記折り返し部の先端部が上方から嵌合される凹部を有しているものとすることができる。
【０００９】
このような構成とすれば、凹部に対して折り返し部の先端部を上方から差し込むことで、折り返し部を係止することができる。また、上下方向について吹出ダクトに対する吸込ダクトの位置決めを行うことができる。
【発明の効果】
【００１０】
本発明によれば、吸込口から冷却器室内に吸い込まれた空気が冷却器を経由せずに貯蔵室に向かう事態を抑制することができる。
【図面の簡単な説明】
【００１１】
【図１】本発明の一実施形態に係る冷却貯蔵庫の正面図
【図２】図１の冷却貯蔵庫において吹出ダクト及び吸込ダクトを示す斜視図
【図３】図２において吹出ダクト、吸込ダクト、及び冷却ファンを取り外した状態を示す斜視図
【図４】冷却貯蔵庫の内部構造を示す断面図
【図５】図４において吹出ダクトの下端部付近を拡大して示す断面図
【図６】冷却器室を示す斜視図
【図７】吹出ダクトに対する吸込ダクトの係止構造を示す斜視図
【図８】吹出ダクトの斜視図（正面側から視た図）
【図９】吹出ダクトの正面図
【図１０】吸込ダクトの斜視図（正面側から視た図）
【図１１】吸込ダクトの斜視図（裏面側から視た図）
【図１２】吸込ダクトの正面図
【発明を実施するための形態】
【００１２】
本発明の一実施形態を図１から図１２によって説明する。本実施形態では、図１に示すように、冷却貯蔵庫として、２ドア式の横型（テーブル型）冷蔵庫を例示する。本実施形態の冷却貯蔵庫１０は、図１に示すように、横長の箱体である貯蔵庫本体１１を備える。貯蔵庫本体１１は、ステンレス鋼板等の金属板を主体として構成されており、貯蔵室１５と機械室２０とを有している。貯蔵室１５は前面が開口されており、その開口が観音開き式の一対の断熱扉１６によって開閉可能な構成となっている。なお、図１では、左右に並ぶ一対の断熱扉１６のうち右側の断熱扉１６を省略している。
【００１３】
機械室２０は、貯蔵室１５の側方（左側）に設けられ、縦長の箱体によって構成されている。機械室２０は、図４に示すように、圧縮機２２、凝縮器ファン付きの凝縮器（図示せず）等からなる冷凍装置２３が収納される収納スペース２１と、冷却器３１と冷却ファン３２が収納される冷却器室３０とを有している。
【００１４】
冷却器室３０は、隣り合う貯蔵室１５と連通されている。冷却器室３０と貯蔵室１５は、図４に示すように、断熱箱体２４により構成されている。この断熱箱体２４は、金属製（ステンレス鋼板等）の外装板２５と内装板２６の間に発泡樹脂等の断熱材２７が充填されることで構成されている。内装板の一部は、図３に示すように、貯蔵室１５の左側の側壁部１５Ａを構成するものとされ、その側壁部１５Ａの上部には略方形状の開口部１７が形成されている。
【００１５】
図６に示すように、この開口部１７を貯蔵室１５と反対側（図６の左側）から覆う形でボックス４０（冷却器室ボックス）が設けられている。ボックス４０は、冷却器室３０の上部を主に構成するものとされる。ボックス４０は、例えばＡＢＳ樹脂等の合成樹脂製とされ、下方且つ貯蔵室１５側に開口された箱形をなしている。ボックス４０は、例えば、開口部１７の開口端部に対してねじ止めによって固定されている。
【００１６】
ボックス４０内における正面（貯蔵室１５側）から視た奥側の上部位置には、冷却器３１が装着されている。また、冷却器３１に対して貯蔵室１５側には、冷却ファン３２が配されている。また、冷却器３１の下方には、ドレンパン４２が配されている。
【００１７】
開口部１７の上部は、吹出ダクト７０によって覆われている。吹出ダクト７０は、例えばＡＢＳ樹脂等の合成樹脂製とされ、正面視において横長の矩形状をなしている。吹出ダクト７０は、図８に示すように、冷却ファン３２側に開口された略箱形をなす吹出ダクト本体部７１を有している。吹出ダクト本体部７１は、図９に示す正面視において横長の矩形状をなし、冷却ファン３２のほぼ全面を覆うことが可能な大きさで設定されている。吹出ダクト本体部７１を構成する正面板７２は、複数の吹出口７３を有する格子状をなしている。吹出口７３によって貯蔵室１５と冷却器室３０とが連通されている。
【００１８】
吹出ダクト本体部７１における左右の側面板７４，７４は、正面板７２の左右両側縁から奥側に向けて互いに遠ざかる形態で形成されている。吹出ダクト本体部７１の底面板７５は、下方に向かうにつれて冷却器３１に向かう形で傾斜されている（図５参照）。側面板７４における外側の側縁には、図９に示すように、外向きに張り出した取付板７６が形成されている。取付板７６には、挿通孔７８が形成されている。挿通孔７８に挿通されたねじ７７（図２参照）、は、開口部１７の開口端部に形成されたねじ孔１８（図３参照）にねじ止めされる。
【００１９】
吹出ダクト本体部７１の裏面には、図８に示すように、冷却器３１側に突出すると共に上下方向に長い押付板８０，８０が形成されている。また、底面板７５の下端には、吹出側延設部８１が形成されている。吹出側延設部８１は、図５に示すように、全体としては、底面板７５の下端から冷却器３１に向かって延びており、具体的には、底面板７５の下端から下方に向かって延びる第１延設部８３と、第１延設部８３の下端から延び、下方に向かうにつれて冷却器３１に向かう形で傾斜する第２延設部８４と、を備えている。
【００２０】
第１延設部８３は、図９に示すように、冷却貯蔵庫１０の前後方向（図９では左右方向に対応）に長い板状をなし、その上端部は、底面板７５、及び左右の取付板７６，７６に連結されている。第２延設部８４は、図９の左右方向に長い板状をなしており、左右方向の長さが第１延設部８３よりも小さい値で設定されている。また、第２延設部８４の側端の各々は、一対の押付板８０，８０の各下端とそれぞれ連結されている（図８参照）。第２延設部８４の下端（延設端）は、図５に示すように、一対の押付板８０，８０の端部と共に、冷却器３１に当接する構成となっている。押付板８０の端部は、冷却器３１の正面における側端部に当接されており、第２延設部８４の下端は、冷却器３１の正面における下部に対して当接されている。
【００２１】
図２に示すように、側壁部１５Ａには、開口部１７の下部を覆いつつ側壁部１５Ａの下端部まで達する金属板製の吸込ダクト５０が取り付けられている。吹出ダクト７０及び吸込ダクト５０は、貯蔵室１５と冷却器室３０とを仕切る仕切板であり、吸込ダクト５０は、吹出ダクト７０の下方に配されている。本実施形態では、吹出ダクト７０の下端部に対して吸込ダクト５０の上端部が貯蔵室１５側から重なる構成となっている。吸込ダクト５０は、図１０及び図１１に示すように、冷却器室３０側に開口された浅い箱形をなす吸込ダクト本体部５５と、吸込ダクト本体部５５の左右の側縁から外側に張り出した一対の取付板５６，５６と、吸込ダクト本体部５５の上端に設けられ、吸込ダクト本体部５５に対して裏側（冷却器３１側）に折り返された形状をなす折り返し部５７（図１２参照）と、を備えている。
【００２２】
取付板５６は、吸込ダクト本体部５５の側端に沿って上下方向に延びている。取付板５６には、図１１に示すように、複数の挿通孔５６Ａが形成されている。挿通孔５６Ａに挿通されたねじ５９（図２参照）は、側壁部１５Ａに形成されたねじ孔１９（図３参照）にねじ止めされる。また、吸込ダクト本体部５５の正面板５８は、上下方向に長い矩形状をなし、その上部において開口部１７を覆うと共に、その下部においては、側壁部１５Ａに対して所定の隙間を空けて対向配置されている（図６参照）。図１０に示すように、正面板５８の上下方向における中央部と下端部には、縦長のスリット状をなす吸込口５２が形成されている。また、吸込ダクト本体部５５の側部には、ほぼ全高に亘って円形状の吸込口５３が形成されている。これにより、吸込口５２，５３によって貯蔵室１５と冷却器室３０とが連通される構成となっている。また、正面板５８の側端部には、ほぼ全高に亘って長孔状又は円形状の取付孔５４が形成されている。この取付孔５４には図示しない棚受がねじ止めされる。
【００２３】
折り返し部５７は、図１２に示すように、吸込ダクト本体部５５の上辺（吸込ダクト本体部５５における傾斜部５５Ａ）に沿う長手状をなしており、図５及び図７に示すように、冷却器３１側の面において、吹出ダクト７０の第１延設部８３における貯蔵室１５側の面に当接されている。また、第１延設部８３における貯蔵室１５側の面には、貯蔵室１５側に突出する被係止部８５が形成されている。被係止部８５は、上方に開口された凹部８６を有しており、凹部８６には、折り返し部５７の下端部（先端部）が上方から嵌合されている。これにより、折り返し部５７が被係止部８５に対して冷却器室３０側（図５の左側）且つ上方から係止する構成となっている。なお、被係止部８５は、図８に示すように、第１延設部８３における左右方向の両端部にそれぞれ形成されている。
【００２４】
次に、本実施形態における冷却器室３０の形成手順を説明する。本実施形態では、側壁部１５Ａにおける開口部１７の裏側にボックス４０を取り付けた後、側壁部１５Ａを含む内装板２６の外側に外装板２５を間隔を空けて配置する。続いて、外装板２５と内装板２６との間に発泡樹脂からなる断熱材２７を発泡充填することで、冷却器室３０及び貯蔵室１５を構成する断熱箱体２４が形成される。次に、冷却器３１及び冷却ファン３２をボックス４０内に装着する。その後、冷却ファン３２を覆う形で吹出ダクト７０を側壁部１５Ａに固定する。この時、吹出ダクト７０の第２延設部８４の下端、及び一対の押付板８０，８０の端部が冷却器３１に当接した状態となる。
【００２５】
続いて、第１延設部８３の被係止部８５に吸込ダクト５０の折り返し部５７を係止させることで吸込ダクト５０を位置決め（仮固定）した状態とし、側壁部１５Ａに対して吸込ダクト５０をねじ止めする。これにより、折り返し部５７が吹出ダクト７０の第１延設部８３に押し付けられ、その結果、第２延設部８４の下端、及び一対の押付板８０，８０の端部が冷却器３１に押し付けられる。これにより、冷却器室３０が形成される。
【００２６】
本実施形態において、冷却運転は、冷凍装置の圧縮機２２、及び冷却ファン３２が駆動されることで行われる。冷却ファン３２が駆動すると、貯蔵室１５内の空気が吸込ダクト５０の吸込口５２，５３から冷却器室３０内に吸引されて冷却器３１に向かい（図６の矢線Ｐ３参照）、冷却器３１を流通して冷気に変換された後、吹出ダクト７０の吹出口７３から貯蔵室１５の天井面側に吹き出される（図６の矢線Ｐ４参照）。このような冷気が循環供給されることで貯蔵室１５内が冷却される。
【００２７】
次に、本実施形態の効果について説明する。本実施形態によれば、吹出ダクト７０の吹出側延設部８１が冷却器３１に当接し、吹出側延設部８１に対しては吸込ダクト５０の折り返し部５７が当接する構成となっている。これにより、吹出側延設部８１が貯蔵室１５側に変位する事態を抑制することができ、冷却器３１と吹出側延設部８１の間に隙間が生じる事態を抑制できる。
【００２８】
このため、吸込口５２，５３から冷却器室３０内に吸い込まれた空気が当該隙間を通じて吹出口７３に向かう事態（このような空気の流れを図５の矢線Ｐ１で示す）、言い換えると、冷却器３１を経由せずに吹出口７３に向かう事態を抑制できる。さらに、折り返し部５７は、吹出側延設部８１（第１延設部８３）に設けられた被係止部８５に係止する構成であるから、貯蔵室１５側への変位が規制されており、吹出側延設部８１との間に隙間が生じる事態を抑制することができる。このため、吸込口５２，５３から冷却器室３０内に吸い込まれた空気が当該隙間を通じて冷却器３１を経由せずに貯蔵室１５に向かう事態（このような空気の流れを図５の矢線Ｐ２で示す）を抑制できる。
【００２９】
また、吸込ダクト５０は吹出ダクト７０の下方に配されており、吹出側延設部８１は、吹出ダクト本体部７１の下端から下方に延びる第１延設部８３と、第１延設部８３の下端から延び、下方に向かうにつれて冷却器３１に向かう形で傾斜する第２延設部８４と、を備え、折り返し部５７は、第１延設部８３における貯蔵室１５側の面に対して当接するものとされ、被係止部８５は、第１延設部８３に設けられると共に、折り返し部５７の下端部が上方から嵌合される凹部８６を有している。このような構成とすれば、凹部８６に対して折り返し部５７の下端部を上方から差し込むことで、折り返し部５７を係止することができる。また、上下方向について吹出ダクト７０に対する吸込ダクト５０の位置決めを行うことができるから、側壁部１５Ａに対して吸込ダクト５０をねじ止めする際の作業性が良好なものとなる。
【００３０】
なお、本実施形態のように、吸込ダクト５０の上辺を吹出ダクト７０の下辺に重ねる構成では、吸込ダクト５０の上辺における中央部を側壁部１５Ａに固定することが難しく、その中央部が反り易い。本実施形態では、吸込ダクト５０の上辺を構成する折り返し部５７を被係止部８５に係止する構成となっているから、吸込ダクト５０の上辺の中央部が反る事態を抑制することができる。
【００３１】
＜他の実施形態＞
本発明は上記記述及び図面によって説明した実施形態に限定されるものではなく、例えば次のような実施形態も本発明の技術的範囲に含まれる。
（１）上記実施形態では、冷却器室３０が貯蔵室１５の側方に配されているものを例示したが、これに限定されない。例えば、冷却器室が貯蔵室１５の奥方に設けられていてもよい。また、冷却器室と貯蔵室が上下方向に配列されていてもよい。このような構成では、吹出ダクトと吸込ダクトとを例えば、水平方向に沿って隣接する形で配列すればよく、吸込ダクトの折り返し部を吸込ダクト本体部における吹出ダクト側の周端に設けると共に、吹出ダクトの吹出側延設部を吹出ダクト本体部における吸込ダクト側の周端に設ける構成とすればよい。
（２）本発明は、上記実施形態で例示した冷蔵庫に限定されず、冷凍庫、恒温高湿庫等の他の冷却貯蔵庫全般に広く適用することができる。
（３）上記実施形態では、吹出ダクト本体部７１及び吸込ダクト本体部５５がそれぞれ浅い箱型をなす構成を例示したが、これに限定されない。吹出ダクト本体部７１及び吸込ダクト本体部５５は例えば、平板状をなしていてもよい。
（４）吸込口及び吹出口の形状は上記実施形態で例示したものに限定されず適宜変更可能である。
【符号の説明】
【００３２】
１０…冷却貯蔵庫、１１…貯蔵庫本体、１５…貯蔵室、３０…冷却器室、３１…冷却器、３２…冷却ファン、５０…吸込ダクト、５２…吸込口、５５…吸込ダクト本体部、５７…折り返し部、７０…吹出ダクト、７１…吹出ダクト本体部、７３…吹出口、８１…吹出側延設部、８３…第１延設部、８４…第２延設部、８５…被係止部、８６…凹部
【図１】
0006681781.tif 000002
【図２】
0006681781.tif 000003
【図３】
0006681781.tif 000004
【図４】
0006681781.tif 000005
【図５】
0006681781.tif 000006
【図６】
0006681781.tif 000007
【図７】
0006681781.tif 000008
【図８】
0006681781.tif 000009
【図９】
0006681781.tif 000010
【図１０】
0006681781.tif 000011
【図１１】
0006681781.tif 000012
【図１２】
0006681781.tif 000013